(57)【特許請求の範囲】
【請求項１】
表示部に画像を表示させる表示データと、画像を切り替える契機となる契機データとを関連づけた複数の画像情報ファイルを記憶部に記憶し、操作部から入力される操作情報が前記契機データを満たした場合、前記契機データに対応付けられた画像情報ファイルを前記記憶部から読み出して、前記画像を切り替える表示装置の画像表示方法において、
少なくとも前記画像情報ファイルの１つには、判定処理を実行させる判定処理データを備え、前記操作部から入力した前記操作情報に基づいて、前記画像情報ファイルを読み出すステップと、
前記画像情報ファイルが前記判定処理データを備えていた場合、所定の判定処理を行う判定ステップと、
前記判定ステップにおける判定結果に基づいて、特定の前記契機データを自動的に満たしたと判定し、前記特定の契機データに基づいて、前記画像情報ファイルを読み出し、前記画像を切り替えるステップと、を含む画像表示方法。
【請求項２】
前記判定ステップにおいて、前記記憶部に記憶された前記表示装置の設定状態を読み出し、前記設定状態に対応した特定の前記契機データを自動的に満たしたと判定し、前記特定の契機データに基づいて、前記画像情報ファイルを読み出し、前記画像を切り替える、請求項１に記載の画像表示方法。
【請求項３】
画像を表示する表示部と、操作情報を出力する操作部と、を備え、前記操作部の操作に応じて前記画像を切り替える表示装置において、
前記画像を表示させる表示データと、前記画像を切り替える契機となる契機データとを関連づけた複数の画像情報ファイルを格納する記憶部と、前記操作部から出力された前記操作情報が前記契機データを満たすかを判定し、前記契機データを満たした場合、前記契機データに対応づけられた画像情報ファイルを前記記憶部から読み出して、前記画像を切り替える処理部と、を備え、
前記処理部は、特定の操作情報を入力した場合、前記画像情報ファイルのうち特定の判定画像情報ファイルを読み出し、所定の判定処理を実行し、前記判定処理における判定結果に基づいて、特定の前記契機データを自動的に満たしたと判定し、前記特定の契機データに基づいて、前記画像情報ファイルを読み出し、前記画像を切り替える、
ことを特徴とする表示装置。
【請求項４】
前記操作部は、前記表示部の近傍に配置されるハードウエアスイッチと、前記表示部に表示される操作画像に対するユーザの指示操作を検出するソフトウエアスイッチと、を有し、前記ハードウエアスイッチを操作した際、前記処理部は、前記判定処理を実行し、前記判定処理における判定結果に基づいて、特定の前記契機データを自動的に満たしたと判定し、前記特定の契機データに基づいて、前記画像情報ファイルを読み出し、前記画像を切り替える、
ことを特徴とする請求項３に記載の表示装置。
【発明の詳細な説明】
【技術分野】
【０００１】
本発明は、画像を切り替える画面表示方法及び表示装置に関する。
【背景技術】
【０００２】
従来の画面表示方法及び表示装置は、表示画面の遷移先や戻り先といった画面遷移に関する情報を、画面情報ファイルに保持するものであった。
【０００３】
従来の表示装置５００は、具体的に例えば、図５に示すように、画像を表示する表示部５１０と、タッチパネルなどからなるソフトウエアスイッチ５２０と、タクティールスイッチなどのハードウエアスイッチ５３０と、ソフトウエアスイッチ５２０及びハードウエアスイッチ５３０が出力する操作情報を入力し、表示部５１０の画像を切り替える処理部５４０と、画像情報ファイル６００を記憶する記憶部５５０と、を備える。
【０００４】
画像情報ファイル６００は、表示部５１０に画像を表示させるための表示データ７００と、ソフトウエアスイッチ５２０の操作に対応したソフトウエア契機データ８１０、ハードウエアスイッチ５３０の操作に対応しハードウエア契機データ８２０、を含む契機データ８００と、ハードウエアスイッチ５３０を操作した際、処理部５４０が表示装置５００の状態を読み出して所定の判定処理を実行するための判定処理データ９００と、を有する。
【０００５】
処理部５４０は、画像情報ファイル６００を記憶部５５０から読み出し、画像情報ファイル６００に含まれる表示データ７００に基づいた画像を表示部５１０に表示させる。なお、表示部５１０には、操作スイッチを模した画像やアイコンなどからなる操作画像が表示され、この操作画像上を操作者がタッチすることで、ソフトウエアスイッチ５２０から処理部５４０に操作情報が出力される。また、操作者が表示装置５００に設けられたハードウエアスイッチ５３０を操作することで、ハードウエアスイッチ５３０から処理部５４０に操作情報が出力される。
【０００６】
処理部５４０は、ソフトウエアスイッチ５２０またはハードウエアスイッチ５３０から入力した操作情報が契機データ８００に該当するか判定し、操作情報が契機データ８００に該当する場合、契機データ８００に対応づけられた画像情報ファイル６００を読み出し、表示部５１０に表示する画像を切り替える。
【０００７】
なお、ハードウエアスイッチ５３０を操作した場合、その時の表示装置５００の設定状態に応じて読み出す画像情報ファイル６００を変えることがある。このような対応を行うため、ハードウエア契機データ８２０を満足した場合、判定処理データ９００に基づいて判定処理を実行し、この判定結果に応じて、読み出す画像情報ファイル６００を変える必要がある。
【先行技術文献】
【特許文献】
【０００８】
【特許文献１】特開平４−１０５１２０号公報
【発明の概要】
【発明が解決しようとする課題】
【０００９】
ハードウエアスイッチ５３０は、表示部５１０が表示する概ね全ての画面において操作可能である。すなわち、概ね全ての画像情報ファイル６００にハードウエア契機データ８２０及び判定処理データ９００が保持されることになる。このため、記憶部５５０が記憶するデータ容量が増大してしまうおそれがあった。
【００１０】
本発明は上記問題を鑑みてなされたものであり、データ容量を抑えることができる画像表示方法及び表示装置を提供することを目的とする。
【課題を解決するための手段】
【００１１】
上記目的を達成するため、本発明の画像表示方法は、表示部に画像を表示させる表示データと、画像を切り替える契機となる契機データとを関連づけた複数の画像情報ファイルを記憶部に記憶し、操作部から入力される操作情報が前記契機データを満たした場合、前記契機データに対応付けられた画像情報ファイルを前記記憶部から読み出して、前記画像を切り替える表示装置の画像表示方法において、少なくとも前記画像情報ファイルの１つには、判定処理を実行させる判定処理データを備え、前記操作部から入力した前記操作情報に基づいて、前記画像情報ファイルを読み出すステップと、前記画像情報ファイルが前記判定処理データを備えていた場合、所定の判定処理を行う判定ステップと、前記判定ステップにおける判定結果に基づいて、特定の前記契機データを自動的に満たしたと判定し、前記特定の契機データに基づいて、前記画像情報ファイルを読み出し、前記画像を切り替えるステップとを含む。
【００１２】
また、本発明の表示装置は、画像を表示する表示部と、操作情報を出力する操作部と、を備え、前記操作部の操作に応じて前記画像を切り替える表示装置において、前記画像を表示させる表示データと、前記画像を切り替える契機となる契機データとを関連づけた複数の画像情報ファイルを格納する記憶部と、前記操作部から出力された前記操作情報が前記契機データを満たすかを判定し、前記契機データを満たした場合、前記契機データに対応づけられた画像情報ファイルを前記記憶部から読み出して、前記画像を切り替える処理部と、を備え、前記処理部は、特定の操作情報を入力した場合、前記画像情報ファイルのうち特定の判定画像情報ファイルを読み出し、所定の判定処理を実行し、前記判定処理における判定結果に基づいて、特定の前記契機データを自動的に満たしたと判定し、前記特定の契機データに基づいて、前記画像情報ファイルを読み出し、前記画像を切り替えるものである。
【発明の効果】
【００１３】
本発明によれば、データ容量を抑えることができる。
【図面の簡単な説明】
【００１４】
【図１】本発明の実施形態における表示装置の構成を説明するブロック図である。
【図２】上記実施形態の画像情報ファイルを説明する図である。
【図３】上記実施形態における契機データと遷移先の画像情報ファイルとを関連付けたテーブルデータを示す図である。
【図４】上記実施形態における画像遷移処理のフロー図である。
【図５】従来の画像情報ファイルを説明するための図である。
【発明を実施するための形態】
【００１５】
以下に、本発明の表示装置を空調機制御用のコントローラに適用した実施形態を説明する。図１に本実施形態に係る表示装置１０の構成を示す。
【００１６】
本実施形態に係る表示装置１０は、画像を表示する表示部１１と、表示部１１の表示面に設けられた接触スイッチであるソフトウエアスイッチ１２と、表示部１１付近に設けられた押ボタン式のハードウエアスイッチ１３と、表示部１１の表示制御を行う処理部１４と、表示部１１に画像を表示させるための表示データ２００を含む画像情報ファイル１００を記憶する記憶部１５と、を備える。表示装置１０は、操作者によるソフトウエアスイッチ１２またはハードウエアスイッチ１３の操作に応じて表示する画像を変化させるものである。
ちなみに、表示部１１は、操作スイッチを模した画像やアイコン画像などの操作画像を表示する。表示部１１に表示される操作画像は、例えば、風速表示における「風速１」，「風速２」，「風速３」，「戻る」や、風向表示における「風向１」，「風向２」，「風向３」，「戻る」や、通常ホーム表示における「通常設定１」，「通常設定２」など（図２参照）であり、この操作画像を押圧操作（指示操作）することで、表示部１１の表面側に配置されるソフトウエアスイッチ１２から操作情報が出力され、表示部１１に表示される画像を切り替えることができる。
なお、表示装置１０は、空調機制御用のコントローラとして、操作者によるソフトウエアスイッチ１２またはハードウエアスイッチ１３の操作に応じて、空調機本体に制御信号を出力するものであるが、本実施形態の説明では、制御信号の出力についての説明を省略する。
【００１７】
表示部１１は、後述する処理部１４からの制御信号に基づき、所定の画像を表示するものであり、液晶表示器や有機ＥＬパネルなどの表示素子で構成される。表示部１１の表面側には、後述するソフトウエアスイッチ１２が配置され、表示部１１が表示する前述の操作画像をタッチするようにソフトウエアスイッチ１２を押圧することで、操作画像の操作が実行され、表示部１１の画像が切り替わる。また、表示部１１の近傍に配置されたハードウエアスイッチ１３を操作者が押圧することで、操作が実行され、表示部１１の画像が切り替わる。表示部１１の画像を切り替えるために記憶部１５から読み出される画像情報ファイル１００については、後で詳述する。
【００１８】
ソフトウエアスイッチ１２は、例えば、タッチパネルなどの接触型のスイッチなどで構成され、表示部１１の表面側に配置される。ソフトウエアスイッチ１２は、操作者が押圧（接触）した位置情報を操作情報として処理部１４に出力する。処理部１４は、入力した操作情報を元に、表示部１１の画像を切り替える。なお、ソフトウエアスイッチ１２は、変形例として、非接触型の赤外線スイッチなどで構成されてもよい。また、操作者の発する言葉に応じた操作情報を出力する音声認識スイッチなどで構成してもよい。
【００１９】
ハードウエアスイッチ１３は、例えば、タクティールスイッチなどのプッシュ型のスイッチなどで構成され、表示部１１の近傍に配置される。ハードウエアスイッチ１３は、操作者に押圧されると、操作情報を処理部１４に出力する。処理部１４は、入力した操作情報を元に、表示部１１の画像を切り替える。本実施形態においてハードウエアスイッチ１３は、表示装置１０の運転入，運転切を制御する第一ハードウエアスイッチ１３ａ（「運転入／切」スイッチ）と、ホーム画面に遷移させる，第二ハードウエアスイッチ１３ｂ（「ホーム」スイッチ）からなる。
【００２０】
処理部１４は、１つもしくは複数のマイクロプロセッサ，マイクロコントローラ，ＡＳＩＣ，ＦＰＧＡ，任意の他のＩＣと、グラフィックコントローラなどを含むＥＣＵ（Electrical  Control  Unit）である。処理部１４は、ソフトウエアスイッチ１２，ハードウエアスイッチ１３から操作情報を入力し、この操作情報に基づいて、表示部１１に表示させる画像を決定し、表示部１１に所定の画像を表示させる。
具体的には、処理部１４は、後述する記憶部１５から画像情報ファイル１００を読み出し、入力した操作情報が画像を遷移させる契機に該当するか契機データ３００を参照して判断し、入力した操作情報が契機データ３００を満たした場合、契機データ３００に対応づけられた画像を表示部１１に表示させる。
【００２１】
記憶部１５は、書き換え可能なＲＡＭ，読み出し専用のＲＯＭ，プログラム読み出し専用のＥＥＰＲＯＭ，不揮発性メモリであるフラッシュメモリなどのプログラムやデータを記憶することができる１つまたは複数のメモリを有する。
【００２２】
記憶部１５が記憶する画像情報ファイル１００について、図２を用いて説明する。図２は、記憶部１５が記憶する画像情報ファイル１００を説明するための図である。
【００２３】
画像情報ファイル１００は、表示部１１に画像を表示させるための画像データを含む表示データ２００と、画像を切り替える契機を示す契機データ３００と、処理部１４に判定処理を実行させる判定処理データ４００と、が関連づけられたデータである。画像情報ファイル１００は、表示部１１に表示する画像毎に複数の画像情報ファイル１００からなり、例えば、図２に示すような、「風速表示」を行う画像情報ファイル１０１，「風向表示」を行う画像情報ファイル１０２，「通常運転入表示」を行う画像情報ファイル１０３，「簡易運転入表示」を行う画像情報ファイル１０４，「通常ホーム表示」を行う画像情報ファイル１０５，「簡易ホーム表示」を行う画像情報ファイル１０６などの通常の画像情報ファイルと、本発明特有の判定画像情報ファイル（第一判定画像情報ファイル１１１，第二判定画像情報ファイル１１２）と、からなる。
【００２４】
表示データ２００は、表示部１１に画像を表示させるための画像データであり、処理部１４は、表示データ２００に基づいて表示部１１に所定の画像を表示させる。なお、表示データ２００には、前述したような操作スイッチを模した画像やアイコン画像などからなる操作画像を表示させるデータも含まれる。
【００２５】
契機データ３００は、画像を変化させるための契機となる操作情報を示し、契機データ３００それぞれには、契機データ３００が満たされた場合に遷移する画像情報ファイル１００が対応づけられている。契機データ３００は、例えば、図３に示すようなテーブルデータにより、遷移先の画像情報ファイル１００に対応付けられている。
【００２６】
処理部１４は、ソフトウエアスイッチ１２またはハードウエアスイッチ１３から操作情報を入力し、入力した操作情報がどの契機データ３００に該当するか判定し、該当した契機データ３００に対応づけられた遷移先の画像情報ファイル１００を記憶部１５から読み出して表示部１１の画像を切り替える。
具体的に説明すると、風速表示である画像情報ファイル１０１が選択されている状態で、操作者が表示部１１に表示されている「風速１」の操作画像を選択した場合、ソフトウエアスイッチ１２から操作情報が処理部１４に入力される。処理部１４は、ソフトウエアスイッチ１２から入力された操作情報が操作画像「風速１」を操作したものであるかを判定し、契機データ３００を参照して操作画像「風速１」を操作したものであると判定した場合、記憶部１５から「風速１」の契機データ３００に対応づけられた遷移先の画像情報ファイル１０１ａを読み出し、この画像情報ファイル１０１ａに基づき、表示部１１の画像を切り替える。
【００２７】
判定処理データ４００は、本発明特有の判定画像情報ファイルを読み出した際に、読み出し直後に実行される処理である。本実施形態では、処理部１４は、判定処理データ４００により、表示装置１０の設定状態が「通常モード」であるか「簡易モード」であるかを判定する。処理部１４は、判定結果に基づいて、自動的に契機データ３００を選択し、画像を切り替える。
【００２８】
本実施形態の表示装置１０においては、ハードウエアスイッチ１３（第一ハードウエアスイッチ１３ａ，第二ハードウエアスイッチ１３ｂ）を操作した場合、本発明の特徴である判定画像情報ファイル（第一判定画像情報ファイル１１１，第二判定画像情報ファイル１１２）を読み出し、判定画像情報ファイルに保持されている判定処理データ４００を実行後、判定処理データ４００の判定結果に基づいて、自動的に通常の画像情報ファイル１００を読み出して画像を遷移させる。
これらの画像遷移処理について、図４のフロー図を用いて説明する。
【００２９】
まず、ステップＳ１０において、処理部１４は、ソフトウエアスイッチ１２またはハードウエアスイッチ１３から操作情報を入力する。
【００３０】
次に、処理部１４は、ステップＳ１０で入力した操作情報が、選択中の画像情報ファイル１００における契機データ３００を満足するかを判定する（ステップＳ２０）。操作情報が契機データ３００に該当しない場合（ステップＳ２０でＮＯ）、表示切り替えを行わないため、ステップＳ１０に戻り、新たに操作情報が入力されるまで表示を維持する。
【００３１】
一方、操作情報が契機データ３００を満足する場合（ステップＳ２０でＹＥＳ）、ステップＳ３０で、処理部１４は、契機データ３００に対応する画像情報ファイル１００を記憶部１５から読み出す。
【００３２】
ステップＳ４０において、処理部１４は、ステップＳ３０で読み出した画像情報ファイル１００が判定画像情報ファイル（第一判定画像情報ファイル１１１，第二判定画像情報ファイル１１２）であるかを判定する。ステップＳ３０で読み出した画像情報ファイル１００が判定画像情報ファイルでない場合（ステップＳ４０でＮＯ）、読み出した通常の画像情報ファイル１００に含まれる表示データ２００に基づいて表示部１１の表示を切り替える。
【００３３】
また、ステップＳ３０で読み出した画像情報ファイル１００が判定画像情報ファイル（第一判定画像情報ファイル１１１，第二判定画像情報ファイル１１２）である場合（ステップＳ４０でＹＥＳ）、処理部１４は、読み出した判定画像情報ファイルに含まれる判定処理データ４００に基づいて、判定処理を実行する（ステップＳ６０）。本実施形態の判定処理は、表示装置１０の設定された状態が「通常モード」であるか「簡易モード」であるかを判定する処理であるため、処理部１４は、記憶部１５から表示装置１０の設定状態（「通常モード」または「簡易モード」）を読み出し、判定処理を実行する。
【００３４】
次に、処理部１４は、Ｓ６０における判定結果に対応した契機データ３００を自動的に満たしたと判定し、契機データ３００に対応する通常の画像情報ファイル１００を読み出して表示部１１の表示を切り替える。
【００３５】
判定情報画像ファイル（第一判定画像情報ファイル１１１，第二判定画像情報ファイル１１２）は、特定の画像を表示する表示データ２００を有しておらず、表示部１１は白表示となるが、判定処理を実行した後、すぐに通常の画像情報ファイル１００に遷移するため、白表示は視認者に視認されることなく、視認者に違和感を覚えさせることがない。
【００３６】
以上に説明した本発明特有の画面遷移処理を具体的に説明すると、例えば、風向表示を示す画像情報ファイル１０２が選択されている際に、「運転入／切」を示すハードウエアスイッチ１３ａが押圧される（Ｓ１０）と、処理部１４は、契機データ３２１が満たされたと判定し（ステップＳ２０）、契機データ３２１に対応する第一判定画像情報ファイル１１１を読み出す（ステップＳ３０）。第一判定画像情報ファイル１１１が読み出されると、処理部１４は、第一判定画像情報ファイル１１１に含まれる判定処理データ４００を実行し（ステップＳ６０）、記憶部１５から表示装置１０の状態を読み出し、表示装置１０の状態に基づいた契機データ３２１ａ（３２１ｂ）を自動的に満足したものと判定し（ステップＳ６０）、選択された契機データ３２１ａ（３２１ｂ）に対応した画像情報ファイル１００を読み出し（ステップＳ７０）、表示部１１の表示を切り替える（ステップＳ５０）。
【００３７】
以上に説明したように、本実施形態における表示装置１０は、画像を表示する表示部１１と、操作情報を出力するハードウエアスイッチ１３と、を備え、ハードウエアスイッチ１３の操作に応じて画像を切り替え、画像を表示させる表示データ２００と、画像を切り替える契機となる契機データ３００とを関連づけた複数の画像情報ファイル１００を格納する記憶部１５と、ハードウエアスイッチ１３から出力された操作情報が契機データ３００を満たすか判定し、契機データ３００を満たした場合、契機データ３００に対応づけられた画像情報ファイル１００を記憶部１５から読み出して、画像を切り替える処理部１４と、を備え、処理部１４は、特定の操作情報（ハードウエアスイッチ１３からの操作情報）を入力した場合、前記画像情報ファイル１００のうち特定の判定画像情報ファイル１１１（１１２）を読み出し、所定の判定処理を実行し、判定処理における判定結果に基づいて、特定の契機データ３００を自動的に満たしたと判定し、表示部１１に表示する画像を切り替える。このように、判定処理を行う判定画像ファイル１１１（１１２）を設けることで、複数の画像情報ファイル１００それぞれに判定処理を行うプログラムを設ける必要がないため、記憶部１５の容量を削減することができる。また、複数の画像情報ファイル１００それぞれに判定処理を設けず、第一判定画像情報ファイル１１１（１１２）で一括して判定処理を行っているため、判定処理を変更するリプログラミングを容易にすることができる。
【００３８】
なお、本発明は以上の実施形態及び図面によって限定されるものではない。本発明の要旨を変更しない範囲で、適宜、変更（構成要素の削除も含む）を加えることが可能である。
【００３９】
上記実施形態では、判定処理を実行する第一判定画像情報ファイル１１１，第二判定画像情報ファイル１１２を読み出すのは、ハードウエアスイッチ１３を操作した場合であったが、ソフトウエアスイッチ１２を操作した場合に第一判定画像情報ファイル１１１，第二判定画像情報ファイル１１２を読み出すものであってもよい。
【００４０】
また、上記実施形態では、判定処理を実行する第一判定画像情報ファイル１１１，第二判定画像情報ファイル１１２には、表示データ２００を保持させないようにしたが、第一判定画像情報ファイル１１１，第二判定画像情報ファイル１１２に遷移する前の画像情報ファイル１００に含まれる表示データ２００を継続保持させるようにしてもよい。
【符号の説明】
【００４１】
１０    表示装置
１１    表示部
１２    ソフトウエアスイッチ（操作部）
１３    ハードウエアスイッチ（操作部）
１４    処理部
１５    記憶部
１００    画像情報ファイル
１１１    第一判定画像情報ファイル（判定画像情報ファイル）
１１２    第二判定画像情報ファイル（判定画像情報ファイル）
２００    表示データ
３００    契機データ
４００    判定処理データ
【図１】
0006384730.tif 000002
【図２】
0006384730.tif 000003
【図３】
0006384730.tif 000004
【図４】
0006384730.tif 000005
【図５】
0006384730.tif 000006